(57)【特許請求の範囲】
【請求項１】
筐体内に設けられたステレオマイクロホンと、
外部音声信号入力部と、
外部制御入力部と、
前記外部制御入力部から得られた入力に基づいて前記ステレオマイクロホン及び前記外部音声信号入力部より得られた音声信号の合成制御をするコントローラと、
を備える撮像機器に着脱自在なマイクロホンであって、
音声を電気信号に変換する音声信号変換部と、
前記ステレオマイクロホンの出力信号と前記音声信号変換部の出力信号を合成した信号を録音するか、前記ステレオマイクロホンの出力信号を録音するか、前記音声信号変換部の出力信号を録音するか、を選択させる選択部と、
前記音声信号変換部の出力信号を前記撮像機器の外部音声信号入力部に、前記選択部の状態を前記撮像機器の外部制御入力部に、それぞれ接続して伝達する接続部と、
を具備することを特徴とする撮像機器用マイクロホン。
【請求項２】
ステレオマイクロホンと、
筐体外部から音声を電気信号に変換する音声信号変換部から得られた音声信号を入力する外部音声信号入力部と、
前記ステレオマイクロホンの出力信号と前記音声信号変換部の出力信号を合成した信号を録音するか、前記ステレオマイクロホンの出力信号を録音するか、前記音声信号変換部の出力信号を録音するか、を選択させる選択部の状態を入力する外部制御入力部と、
前記外部制御入力部から得られた入力に基づいて、前記ステレオマイクロホン及び前記外部音声信号入力部より得られた音声信号の合成制御をするコントローラと、
を具備することを特徴とする撮像機器。
【発明の詳細な説明】
【０００１】
【発明の属する技術分野】
本発明は、撮像機器用マイクロホン及び撮像機器に関するものである。
【０００２】
【従来の技術】
従来の録音マイクシステムとしては、例えば業務用ビデオカメラ装置に搭載されて、撮影される映像に対応する音を収録するために用いられるものがある。例えばビデオカメラ装置内に２個のマイクを内蔵したステレオマイクシステム、３個のマイクを内蔵した３カプセルステレオマイクシステム、２個のズームマイクを内蔵しそのズーム動作に合わせて指向性が変化するステレオズームマイクシステム等がある。
【０００３】
【発明が解決しようとする課題】
しかしながら、上記従来の録音マイクシステムにあっては、無指向性マイクをビデオカメラ装置に内蔵し、演算回路の動作と、ビデオカメラ装置のマイクを内蔵する部分の外箱形状を工夫することにより指向性を出すようになっているため、可聴周波数の中域でしか指向特性が出せず、低・高域の指向性がほとんど出せないという問題があった。またマイクをビデオカメラ装置に内蔵するために、ビデオカメラ装置内のメカニカルなノイズ、例えばビデオデッキ内で磁気テープがドラムのヘッドを叩く音等を拾い易いという問題があった。
【０００４】
そこで、可聴周波数の中域の他に低・高域においても指向特性を持たせると共に、装置本体内のメカニカルなノイズを拾い難い録音マイクシステムを提供するものがある。
【０００５】
本発明は、着脱自在な撮像機器用マイクロホンに設けられた３ポジションスイッチを切換えて、撮像機器に設けられたコントローラがマイクアンプブロックを制御することにより、第１〜第３モードのいずれかの動作を選択できて撮影状態に最も適した集音モードを選択することを可能とする撮像機器用マイクロホン及び撮像機器を提供する。
【０００６】
【課題を解決するための手段】
本発明による撮像機器用マイクロホンは、筐体内に設けられたステレオマイクロホンと、外部音声信号入力部と、外部制御入力部と、前記外部制御入力部から得られた入力に基づいて前記ステレオマイクロホン及び前記外部音声信号入力部より得られた音声信号の合成制御をするコントローラと、を備える撮像機器に着脱自在なマイクロホンにおいて、音声を電気信号に変換する音声信号変換部と、前記ステレオマイクロホンの出力信号と前記音声信号変換部の出力信号を合成した信号を録音するか、前記ステレオマイクロホンの出力信号を録音するか、前記音声信号変換部の出力信号を録音するか、を選択させる選択部と、前記音声信号変換部の出力信号を前記撮像機器の外部音声信号入力部に、前記選択部の状態を前記撮像機器の外部制御入力部に、それぞれ接続して伝達するコネクタを有する接続部と、を具備することを特徴とする。
【０００７】
また、本発明による撮像機器は、ステレオマイクロホンと、筐体外部から音声を電気信号に変換する音声信号変換部から得られた音声信号を入力する外部音声信号入力部と、前記ステレオマイクロホンの出力信号と前記音声信号変換部の出力信号を合成した信号を録音するか、前記ステレオマイクロホンの出力信号を録音するか、前記音声信号変換部の出力信号を録音するか、を選択させる選択部の状態を入力する外部制御入力部と、前記外部制御入力部から得られた入力に基づいて、前記ステレオマイクロホン及び前記外部音声信号入力部より得られた音声信号の合成制御をするコントローラと、を具備することを特徴とする。
【０００８】
【発明の実施の形態】
以下、本発明の撮像機器用マイクロホン及び撮像機器を適用した録音マイクシステムの実施の形態について、図面に基づいて説明する。図１は、本発明の撮像機器用マイクロホン及び撮像機器を適用した録音マイクシステムの第１の実施の形態を説明するための図である。
【０００９】
図１において、符号２１は業務用ビデオカメラの装置本体である。カメラ装置本体２１の外箱上部にはコネクタ付シュー（取付部）２２が設けられており、このコネクタ付シュー２２にはコネクタブロック２４が取付けられ、このコネクタブロック２４の上にはガンマイク（超指向性マイク）２６が取付けられる。
【００１０】
カメラ装置本体２１の後部（図１中右側部）にはバッテリー（電源）２８が設けられており、カメラ装置本体２１の内部にはマイクアンプを制御するコントローラ３０、マイクアンプとその周辺の回路から成るマイクアンプブロック３２、コントローラ３０からマイクアンプブロック３２への信号のＤ／Ａ変換を行うＤ／Ａコンータ３４、バッテリー２８の容量残量にかかわらず常に一定の電圧をコントローラ３０等の回路に供給するためのＤＣ−ＤＣコンバータ３５が設けられている。またカメラ装置本体２１の内部で、撮影レンズ（図示せず）の中心に対して左右両側には、一対のステレオズームマイクの左側と右側のマイクカプセル３６が設けられている。
【００１１】
ガンマイク２６にはコネクタ付シュー２２及びコネクタブロック２４を介してバッテリー２８の電源が、ＤＣ−ＤＣコンバータ３５を介さずに直接入力される。コントローラ３０には後述する３ポジションスイッチの切換え状態を表わす信号が入力する。マイクアンプブロック３２にはガンマイク２６からのマイク信号と、前記左側と右側のマイクカプセル３６（一対のステレオズームマイク）からのマイク信号が入力すると共に、Ｄ／Ａコンバータ３４から、コントローラ３０からの制御信号がＤ／Ａ変換されて入力する。
【００１２】
図２に示すように、マイクアンプブロック３２に入力したステレオズームマイク３６からの左側マイク信号ａと、ガンマイク２６からのガンマイク信号ｃは、Ｄ／Ａコンバータ３４を介してコントローラ３０によりそのレベルを制御されて互いに印加された後、マイクアンプブロック３２の左側スピーカ出力処理部３２ａにより増幅処理されて、左側出力として図示しない記録部に記録される。またステレオズームマイク３６からの右側マイク信号ｂとガンマイク信号ｃは同様に、コントローラ３０によりそのレベルを制御されて互いに印加された後、マイクアンプブロック３２の右側スピーカ出力処理部３２ｂにより増幅処理されて、右側出力として前記記録部に記録される。
【００１３】
図３はガンマイク２６及びコネクタブロック２４の各々の斜視図である。ガンマイク２６のマイク部分３８の後方には上ケース部４０が設けられており、この上ケース部４０の側面部には３ポジションスイッチ４１が設けられている。またコネクタブロック２４のハーネス端子ブロック２５は、３ポジションスイッチ４１及び指向性マイクカプセル４５ｂ（図４参照）に接続された回路基板５１（図４参照）に接続している。
【００１４】
図４はガンマイク２６の分解斜視図である。マイク部分３８の表面はスポンジ製の上・下ウインドスクリーン４３により覆われており、この上・下ウインドスクリーン４３の内側にはマイク構成部品４５が設けられている。符号４５ａは上下両側の母線に沿って複数のスリットが形成された金属パイプ、４５ｂは指向性マイクカプセル、４５ｃはダンパである。ダンパ４５ｃを介して金属パイプ４５ａ及び指向性マイクカプセル４５ｂを内包する上・下ホルダ４５ｄ，４５ｅの、長さ方向一端側（図中右端側）途中の突出部４５ｆの端部には遮音用のゴムダンパ４７が設けられ、このゴムダンパ４７はダンパ押え４９により突出部４５ｆの端部に押えつけて固定される。
【００１５】
ゴムダンパ４７の上には上ケース４０がかぶせられており、この上ケース４０の内部のゴムダンパ４７の側部には回路基板５１が収納されている。回路基板５１はフレーム５３の上に載置されており、このフレーム５３の下側にはクリックバネ５５が設けられている。ゴムダンパ４７及びクリックバネ５５の下側には下ケース５７がかぶせられており、下ケース５７の下側にはロックつまみ５９が設けられている。
【００１６】
ロックつまみ５９の下側にはつまみ押え６０が設けられており、このつまみ押え６０の下側にはカム筒６２が設けられている。カム筒６２の下側にはゴムクッション６４を介してコネクタブロック２４が設けられており、ロックつまみ５９を回転させることによりガンマイク２６の下ケース５７の下側がコネクタブロック２４に固定して接続する。
【００１７】
図５に示すように、カメラ装置本体２１の上側に設けられたガンマイク２６は所定角度内で回転できるようになっている。すなわちコネクタ付シュー２２（図５中には図示せず）はガンマイク２６が１８０°向きが違う場合も使用できるように回転でき、クリックストップにより所定位置で停止できるようになっている。またユーザーの操作不良により回転機構が破損するのを防止するため、その前後に４５°ずつ逃げの回転領域が
設けられている。
【００１８】
次に、このようなカメラ装置本体２１に設けられた録音マイクシステムの動作について説明する。３ポジションスイッチ４１のスイッチング作用により第１モードが選択されると、そのことを示す信号が回路基板５１，コネクタブロック２４及びコネクタ付シュー２２を介してコントローラ３０に入力される。この入力信号に基づいて、コントローラ３０がＤ／Ａコンバータ３４を介してマイクアンプブロック３２を制御することにより、ガンマイク２６と一対のステレオズームマイク３６からの信号が所定の関係で同時に処理される。
【００１９】
すなわち図６に示すように、カメラ装置本体２１の撮影レンズが最もズームアップしてＴＥＬＥ（望遠）側の状態になったときは、そのことを検出したコントローラ３０がマイクアンプブロック３２を制御することにより、ガンマイク２６からのマイク信号の出力レベルｃを最大にし、ステレオズームマイク３６からのマイク信号の出力レベルａ，ｂを最小にする。
【００２０】
この場合にはガンマイク２６は、図７（ｂ）に示すようにその超指向性Ｓを発揮して、集音する遠方の音源に対する感度を最大にすることが可能となると共に、ガンマイク２６がカメラ装置本体２１の外側に設けられることにより、遠方の可聴周波数の高・低域の音も効果的に集音することが可能となる。図８（ｂ）は従来のステレオズームマイクのズームアップ時の指向性を示しており、上記図７（ｂ）に示す本発明に係るガンマイク２６の超指向性Ｓには及ばないことが分かる。
【００２１】
それからカメラ装置本体２１の撮影レンズがズームダウンしてＷＩＤＥ（広角）側に移動すると、ズームポジションはＸ０からＸ１，Ｘ１´，Ｘ２，Ｘ２´……と順次変化していき、このことを検出したコントローラ３０がマイクアンプブロック３２を制御することにより、ガンマイク２６からのマイク信号の出力レベルｃが徐々に減少すると共に、ステレオズームマイク３６からのマイク信号の出力レベルａ，ｂが徐々に増大していく。このことにより、カメラ装置本体２１の撮影レンズのズーム度に応じて、撮影された画面に相応しい音を集音することが可能となると共に、やはり撮影された画面に応じて高・低域の音も効果的に集音することが可能となる。
【００２２】
そしてカメラ装置本体２１の撮影レンズがズームダウンして最もＷＩＤＥ側（ズームポジションがＸ８）に来たときは、ステレオズームマイク３６からのマイク信号の出力レベルａ，ｂを最大にし、ガンマイク２６からのマイク信号の出力レベルｃを最小にする。このことによりステレオズームマイク３６は図７（ａ）に示すようにその音の拡がり（ステレオ）感を発揮して、ＷＩＤＥ撮影画面に最も相応しい音の集音を行うことができる。
【００２３】
次に、３ポジションスイッチ４１のスイッチング作用により第２モードが選択されると、これに応じてコントローラ３０がマイクアンプブロック３２を制御することにより、一対の内蔵のステレオズームマイク３６からのマイク信号だけが最大に増幅処理され、ガンマイク２６からのマイク信号の増幅処理を抑えて、その出力レベルｃを最小の状態で固定すると共に、ステレオズームマイク３６からのマイク信号の出力レベルａ，ｂを最大の状態で固定する。このような第２モードは、撮影レンズのズームポジションがＸ８となるＷＩＤＥ撮影画面が長く続くような場合に、コントローラ３０及びマイクアンプブロック３２の処理動作を単純化してその負担を軽減できる上で適している。
【００２４】
さらに、３ポジションスイッチ４１のスイッチング作用により第３モードが選択されると、これに応じてコントローラ３０がマイクアンプブロック３２を制御することにより、ガンマイク２６からのマイク信号だけが最大に増幅処理され、ガンマイク２６からのマイク信号の出力レベルｃを最大の状態で固定すると共に、ステレオズームマイクからのマイク信号の出力レベルａ，ｂを最小の状態で固定する。このような第３モードは、撮影レンズのズームポジションがＸ０となるＴＥＬＥ撮影画面が長く続くような場合に適している。
【００２５】
また、上記第１の実施の形態に係る録音マイクシステムは、カメラ装置本体２１の上方外側にガンマイク２６を設けたため、ガンマイク２６はカメラ装置本体２１内のメカニカルなノイズを拾い難いという利点がある。
【００２６】
なお、上記実施の形態においては本発明を業務用ビデオカメラ装置に適用した場合について説明したが、本発明は業務用ビデオカメラ装置以外でも録音マイクシステムを取付けて本発明の効果があるものであれば他の装置に用いてもよいことはいうまでもない。
【００２７】
また、上記実施の形態においてはコネクタ付シュー２２を用いてガンマイク２６を取付けたが、コネクタ付シュー２２の代わりに、両端部に接続端子を有するケーブルを用いてガンマイク２６とマイクアンプブロック３２等との導通を接続して取付けるようにしてもよい。
【００２８】
【発明の効果】
本発明によれば、超指向性マイクをコネクタ付取付部を介して取付けることにより、装置本体に内蔵されたマイクアンプやその他の電気部品とケーブル無しで導通可能に接続されるため、取付操作が簡単となって、ケーブルがないのでその取扱いが容易となると共に、ケーブルで接続する場合に多発する接続不良を防止することができる。
【００２９】
また上記実施の形態によれば、３ポジションスイッチ４１が３ポジションを切換えてコントローラ３０がマイクアンプブロック３２を制御することにより、第１〜第３モードのいずれかの動作を選択できて撮影状態に最も適した集音モードを選択することができる。
【００３０】
さらに、コネクタ付シューの代わりにケーブルで導通可能に接続するようにした場合は従来タイプの装置本体にも本発明を適用することができる。
【図面の簡単な説明】
【図１】本発明の第１の実施の形態に係る録音マイクシステムの構成を示すブロック図である。
【図２】マイクアンプブロック３２における各信号の流れを示す回路図である。
【図３】ガンマイク２６及びコネクタブロック２４の各々の斜視図である。
【図４】ガンマイク２６の分解斜視図である。
【図５】ガンマイク２６の回転角度を示すガンマイク２６の平面図である。
【図６】撮影レンズのズームポジションにおけるガンマイク２６からのマイク信号の出力レベルｃとステレオズームマイクからのマイク信号の出力レベルａ，ｂとの関
係を示す図である。
【図７】ステレオズームマイク３６とガンマイク２６の指向性を示す模式図であり、図７（ａ）はズームポジションがＸ８のときのステレオズームマイクの指向性を示す模式図、図７（ｂ）はズームポジションがＸ０のときのステレオズームマイクの指向性Ｚ及びガンマイク２６の指向性Ｓを示す模式図である。
【図８】従来のステレオズームマイクの指向性を示す模式図であり、図８（ａ）はズームポジションがＸ８のときの指向性を示す模式図、図８（ｂ）はズームポジションがＸ０のときの指向性を示す模式図である。
【符号の説明】
２１…カメラ装置本体、２２…コネクタ付シュー、２４…コネクタブロック、２５…ハーネス端子ブロック、２６…ガンマイク、２８…バッテリー、３０…コントローラ、３２…マイクアンプブロック、３２ａ…左側スピーカ出力処理部、３２ｂ…右側スピーカ出力処理部、３４…Ｄ／Ａコンバータ、３５…ＤＣ−ＤＣコンバータ、３６…ステレオズームマイクのマイクカプセル、３８…マイク部分、４０…上ケース部、４１…３ポジションスイッチ、４３…上・下ウインドスクリーン、４５…マイク構成部品、４５ａ…金属パイプ、４５ｂ…指向性マイクカプセル、４５ｃ…ダンパ、４５ｄ…上ホルダ、４５ｅ…下ホルダ、４５ｆ…突出部、４７…ゴムダンパ、４９…ダンパ押え、５１…回路基板、５３…フレーム、５５…クリックバネ、５７…下ケース、５９…ロックつまみ、６０…つまみ押え、６２…カム筒、６４…ゴムクッション
【図１】
0003552391.tif 000002
【図２】
0003552391.tif 000003
【図５】
0003552391.tif 000004
【図３】
0003552391.tif 000005
【図４】
0003552391.tif 000006
【図６】
0003552391.tif 000007
【図７】
0003552391.tif 000008
【図８】
0003552391.tif 000009